(57)【要約】【課題】簡易な構成で高精細な画像を形成することができる光走査装置及びそれを用いた画像形成装置を得ること。【解決手段】光源手段１からの光束をコリメート光学系２で略平行光束とし、絞り３を介して光偏向手段４に導光し、該光偏向手段で偏向された光束を被走査面７上に導光して光走査する光走査装置であって、該光偏向手段は等速回転する回転台９と、該回転台に固定配置された反射面を含まない光学系から構成された走査光学系５６とを有し、該走査光学系の光軸が該被走査面の中心と一致するときを基準状態とし、該基準状態からの該回転台の回転角をψ、光束が該被走査面を走査するときの該被走査面の中心位置からの距離をＹとするとき、該走査光学系は、Ｙ＝ａ・ψ（但し、ａは定数）なる光学特性を有していること。【選択図】    図１
2005031194.tif 000002
【特許請求の範囲】
【請求項１】
光源手段からの光束をコリメート光学系で略平行光束とし、絞りを介して光偏向手段に導光し、該光偏向手段で偏向された光束を被走査面上に導光して光走査する光走査装置であって、
該光偏向手段は等速回転する回転台と、該回転台に固定配置された反射面を含まない光学系から構成された走査光学系とを有し、
該走査光学系の光軸が該被走査面の中心と一致するときを基準状態とし、該基準状態からの該回転台の回転角をψ、光束が該被走査面を走査するときの該被走査面の中心位置からの距離をＹとするとき、該走査光学系は、
Ｙ＝ａ・ψ
（但し、ａは定数）
なる光学特性を有していることを特徴とする光走査装置。
【請求項２】
前記走査光学系は前記基準状態において、前記回転台の回転軸を挟んで正の屈折力の前群と負の屈折力の後群とを有することを特徴とする請求項１記載の光走査装置。
【請求項３】
前記前群は光入射側に凸面を向けたメニスカス形状の正レンズを有し、前記後群は光出射側に凸面を向けたメニスカス形状の負レンズ又は光出射側に凸面を向けたメニスカス形状の負レンズと光出射側に凸面を向けたメニスカス形状の正レンズとを有することを特徴とする請求項２記載の光走査装置。
【請求項４】
前記走査光学系は前記回転台の回転軸又はその近傍に光束の一部を遮光する補助絞りを有していることを特徴とする請求項１，２又は３記載の光走査装置。
【請求項５】
請求項１乃至４の何れか１項に記載の光走査装置と、前記被走査面に配置された感光体と、前記光走査装置で走査された光ビームによって前記感光体上に形成された静電潜像をトナー像として現像する現像器と、現像されたトナー像を被転写材に転写する転写器と、転写されたトナー像を被転写材に定着させる定着器とを有することを特徴とする画像形成装置。
【請求項６】
請求項１乃至４の何れか１項に記載の光走査装置と、外部機器から入力したコードデータを画像信号に変換して前記光走査装置に入力せしめるプリンタコントローラとを有していることを特徴とする画像形成装置。
【請求項７】
各々が請求項１乃至４の何れか１項に記載の光走査装置の被走査面に配置され、互いに異なった色の画像を形成する複数の像担持体とを有することを特徴とするカラー画像形成装置。
【請求項８】
外部機器から入力した色信号を異なった色の画像データに変換して各々の光走査装置に入力せしめるプリンタコントローラを有していることを特徴とする請求項７記載のカラー画像形成装置。
【発明の詳細な説明】
【０００１】
【発明の属する技術分野】
本発明は光走査装置及びそれを用いた画像形成装置に関し、特に光源手段から出射した光束を光偏向手段により偏向させ、被走査面上を光走査して画像情報を記録するようにした、例えば電子写真プロセスを有するレーザービームプリンタやデジタル複写機やマルチファンクションプリンタ（多機能プリンタ）等の画像形成装置に好適なものである。
【０００２】
【従来の技術】
従来よりレーザービームプリンタ等の光走査装置においては光源手段から画像信号に応じて光変調され出射した光束を、例えば回転多面鏡（ポリゴンミラー）より成る光偏向器により周期的に反射偏向させ、ｆθ特性を有するｆθレンズ系によって感光性の記録媒体（感光ドラム）面上にスポット状に収束させ、該記録媒体面上を光走査して画像記録を行なっている。
【０００３】
図６は従来の光走査装置の要部概略図である。同図において光源手段９１から出射した発散光束はコリメーターレンズ９２によって略平行光束もしくは収束光束とされ、副走査方向のみに屈折力を有するシリンドリカルレンズ９３に入射している。シリンドリカルレンズ９３に入射した光束のうち主走査断面内においてはそのままの状態で出射し、副走査断面内においては収束して回転多面鏡（ポリゴンミラー）から成る光偏向器９４の偏向面（反射面）９４ａ近傍にほぼ線像として結像している。
【０００４】
そして光偏向器９４の偏向面９４ａで反射偏向された光束をｆθ特性を有するｆθレンズ系（走査光学手段）９５を介して被走査面９６としての感光ドラム面上へ導光し、該光偏向器９４を矢印Ａ方向に回転させることによって該感光ドラム面９６上を矢印Ｂ方向（主走査方向）に光走査して画像情報の記録を行っている。
【０００５】
同図において偏向面９４ａ、もしくはその近傍で光源手段からの光束をほぼ線像として結像させているのは、ポリゴンミラー９４の偏向面９４ａの面倒れによる被走査面９６上の照射位置の変動を抑えるためである。これによりポリゴンミラー９４の偏向面９４ａと被走査面９６とがｆθレンズ系９５によって共役関係が保たれ、例えば偏向面９４ａが回転の際にその姿勢が崩れても、この共役関係があれば被走査面９６上で照射される位置の変動の影響を小さく抑えることができる。
【０００６】
上記の光走査装置を基本構成とし、高速走査や高精細な画像形成を目的に光源手段を複数用いてマルチビーム走査を行うマルチビーム光走査装置が種々と提案されている。
【０００７】
しかしながらこれら光走査装置は装置全体がその目的を達成するため複雑化し、また構成要素も増してくるため大型化を招いていた。またコンパクト化への工夫も従来から様々な手法で試みられているが、基本的な構成要素が同じであるため飛躍的な小型化には結びついていない。
【０００８】
以上の問題点を解決するためには構成要素を根本から見直す必要があり、これについて工夫された光走査装置が種々と提案なされている（例えば特許文献１，２参照）。これら特許文献１，２ではｆθレンズを簡略、または省略することで装置全体そのものを小型化している。
【特許文献１】
特開平６−７５１６２号公報
【特許文献２】
特開平９−９６７７２号公報
【０００９】
【発明が解決しようとする課題】
特許文献１では、従来から用いられてきた金属製のポリゴンミラーの代わりに光学素子で偏向走査を行い、その形状に光学性能を持たせることでｆθレンズの簡略、もしくは省略を可能としている。
【００１０】
しかしながら同文献１で用いられている偏向素子は透過面と反射面を伴う光学素子であり、その反射面を含んだ構成のため、面同士の位置関係などを精密に合わせなくてはならず精度を維持するのが難しいという問題点を含んでいる。
【００１１】
特許文献２ではｆθレンズの光学性能を光偏向器に含ませているため別途ｆθレンズ等の走査光学系を用いず走査ができ、また省スペースという点でも有効である。
【００１２】
しかしながらが同文献２では光学性能を維持するための構成面数が１面であるため、これまでのポリゴンミラーを用い２面もしくは４面以上から構成される走査レンズ系による従来の光走査装置と比べると高精細な画像を得るのは難しいという問題点を含んでいる。
【００１３】
本発明は簡易な構成で高精細な画像を形成することができるコンパクトな光走査装置及びそれを用いた画像形成装置の提供を目的とする。
【００１４】
【課題を解決するための手段】
請求項１の発明の光走査装置は、
光源手段からの光束をコリメート光学系で略平行光束とし、絞りを介して光偏向手段に導光し、該光偏向手段で偏向された光束を被走査面上に導光して光走査する光走査装置であって、
該光偏向手段は等速回転する回転台と、該回転台に固定配置された反射面を含まない光学系から構成された走査光学系とを有し、
該走査光学系の光軸が該被走査面の中心と一致するときを基準状態とし、該基準状態からの該回転台の回転角をψ、光束が該被走査面を走査するときの該被走査面の中心位置からの距離をＹとするとき、該走査光学系は、
Ｙ＝ａ・ψ
（但し、ａは定数）
なる光学特性を有していることを特徴としている。
【００１５】
請求項２の発明は請求項１の発明において，
前記走査光学系は前記基準状態において、前記回転台の回転軸を挟んで正の屈折力の前群と負の屈折力の後群とを有することを特徴としている。
【００１６】
請求項３の発明は請求項２の発明において，
前記前群は光入射側に凸面を向けたメニスカス形状の正レンズを有し、前記後群は光出射側に凸面を向けたメニスカス形状の負レンズ又は光出射側に凸面を向けたメニスカス形状の負レンズと光出射側に凸面を向けたメニスカス形状の正レンズとを有することを特徴としている。
【００１７】
請求項４の発明は請求項１，２又は３の発明において，
前記走査光学系は前記回転台の回転軸又はその近傍に光束の一部を遮光する補助絞りを有していることを特徴としている。
【００１８】
請求項５の発明の画像形成装置は、
請求項１乃至４の何れか１項に記載の光走査装置と、前記被走査面に配置された感光体と、前記光走査装置で走査された光ビームによって前記感光体上に形成された静電潜像をトナー像として現像する現像器と、現像されたトナー像を被転写材に転写する転写器と、転写されたトナー像を被転写材に定着させる定着器とを有することを特徴としている。
【００１９】
請求項６の発明の画像形成装置は、
請求項１乃至４の何れか１項に記載の光走査装置と、外部機器から入力したコードデータを画像信号に変換して前記光走査装置に入力せしめるプリンタコントローラとを有していることを特徴としている。
【００２０】
請求項７の発明のカラー画像形成装置は、
各々が請求項１乃至４の何れか１項に記載の光走査装置の被走査面に配置され、互いに異なった色の画像を形成する複数の像担持体とを有することを特徴としている。
【００２１】
請求項８の発明は請求項７の発明において，
外部機器から入力した色信号を異なった色の画像データに変換して各々の光走査装置に入力せしめるプリンタコントローラを有していることを特徴としている。
【００２２】
【発明の実施の形態】
［実施形態１］
図１は本発明の光走査装置の実施形態１の要部断面図、図２は図１に示した光偏向手段の光学系の要部断面図（副走査断面図）である。
【００２３】
ここで、主走査方向とは光偏向手段の回転軸に垂直な方向（光偏向手段で光束が偏向（偏向走査）される方向）を示し、副走査方向とは光偏向手段の回転軸と平行な方向を示す。また主走査断面とは主走査方向に平行で走査光学系の光軸を含む平面を示す。また副走査断面とは主走査断面と垂直な断面を示す。
【００２４】
同図において１は光源手段であり、例えば半導体レーザ等より成っている。尚、光源手段１はシングルレーザ光源でもマルチレーザ光源でも良いが、ここでは説明を簡単にするためにシングルレーザ光源を用いている。
【００２５】
２はコリメータ光学系（例えばコリメーターレンズ）であり、光源手段１から放射された光束を略平行光束にしている。またコリメータ光学系２はその焦点位置が光源手段１の発光部に合致するよう位置合わせがなされている。
【００２６】
３は絞りであり、円形絞りより成り、コリメータ光学系２で略平行光束とされた光束を必要な光量に制限している。この円形絞り３は光源手段１が例えばマルチレーザ光源の場合には後述する光偏向手段４への複数の光束の入射位置の違いによる収差発生量の差から生じるマルチビームジッタを避けている。尚、コリメータ光学系２と円形絞り３は入射光学系１０の一要素を構成している。
【００２７】
４は光偏向手段であり、等速回転する回転台（架台）９と、該回転台９に固定配置された反射面を含まない光学系から構成された走査光学系５６とを有している。走査光学系５６は、回転台９の副走査方向に沿った方向の回転軸（回転中心）Ｃを挟んで正の屈折力の前群と、負の屈折力の後群とを有している。本実施形態では前群を光入射側に凸面を向けたメニスカス形状の正レンズ（第１のレンズ）５、後群を光出射側に凸面を向けたメニスカス形状の負レンズ（第２のレンズ）６より構成している。回転台９は第１、第２のレンズ５，６を固定しており、回転機構としてのモータ（不図示）により図中矢印Ａ方向（反時計方向）に等速回転している。
【００２８】
ＳＰは補助絞りであり、回転台９の回転軸Ｃ又はその近傍に配置しており、光束の一部を遮光し、絞り３と第１のレンズ５を通過した光束のみを第２のレンズ６に入射するようにしている。７は被走査面としての感光ドラム面である。
【００２９】
８は同期検出器（光センサー）であり、有効走査領域外に配置され、走査光学系５６の同期を検出している。
【００３０】
本実施形態では同期検出器８に光束が入射すると該同期検出器８より出力信号が発せられ、同期補正回路（不図示）に信号が送られて光源手段１側にフィードバックされ、画像信号の書き出しのタイミングが矯正される。続いて被走査面７上の画像領域内にスポットが移動していき、図中矢印Ｂ方向（主走査方向）に順次走査することで画像が形成されていく。
【００３１】
本実施形態では走査光学系５６（第１、第２のレンズ５，６を含む）の光軸Ｌａが被走査面７の中心７ａと一致しているとき（回転台９の回転角ψが０°の姿勢のとき）を基準状態とする。即ち基準状態のときの光軸Ｌａは光源手段１から被走査面７までの像高０（ｍｍ）を結ぶ直線を本装置の光軸Ｌとするとき、該光軸Ｌと一致している。
【００３２】
図１は回転台９が角度ψだけ回転し、被走査面７上の点Ｙａに光束が入射している状態を示している。
【００３３】
本実施形態において基準状態から回転台９が角度ψ回転したとき、走査光学系５６から出射する光束の出射角度をψ′とする。即ち図２に示すように本実施形態の走査光学系５６は、該走査光学系５６に角度ψで入射したときの出射角度をψ′とするとき、走査光学系５６の角倍率γは
γ＝ψ′／ψ
と成る。このときの角倍率γは１以上であることが必要である。
【００３４】
ここで被走査面７上の走査点Ｙａを走査する光束の基準状態からの走査角度θは、
θ＝ψ′−ψ
である。
【００３５】
本実施形態では被走査面７上の走査位置Ｙａの走査中心７ａからの高さ（距離）をＹとし、ａを定数とするとき、
Ｙ＝ａ・ψ        ‥‥（１）
となるように走査光学系５６を構成している。
【００３６】
これにより回転台９の回転角ψと被走査面７上を走査するスポット光の走査速度が直線的に成るようにしている。即ち被走査面７上を等速走査するようにしている。
【００３７】
本実施形態における走査光学系５６は第１、第２の２枚のレンズ５，６とも非球面で構成されている。面形状については必要に応じて主走査断面及び副走査断面で曲率半径や非球面係数が異なる形状、または主走査断面の光軸に対して非対称な面、または副走査断面の光軸に対して非対称な面など適宜設定できる。
【００３８】
また第１、第２のレンズ５，６の双方の入出射面ともにパワーを持つ面として構成されており、各収差の補正効果とプリズムやミラー面のような平面を伴う形状よりも加工精度を出しやすいことも合わせて光学性能を向上させている。
【００３９】
また第１、第２のレンズ５，６はプラスチックを材料とするプラスチックレンズで構成されており、その面形状は金型を使用する射出成形を用いることで容易に設定でき、更に従来からのｆθレンズ製造手法がそのまま利用できるので、これまでの製造手法をそのまま生かして品質の高いレンズが得られる。
【００４０】
本実施形態における光走査装置はポリゴンミラー等の反射型の光偏向器を用いていないため、従来ポリゴンミラーの面倒れ防止のために設けたシリンドリカルレンズを設ける必要がなくなり、これにより装置全体を簡易に構成することができる。
【００４１】
また光偏向手段４は図１、図２に示すように、ここでの光学性能に寄与する面数が４面あるため、従来のｆθレンズ系が２枚のものと同等の結像性能が得られ、しかも光偏向器を兼ねているため必要スペースも大幅に削減できる。
【００４２】
寸法形状については回転台９の回転方向と平行な方向である主走査方向では回転する領域のみカバーすればよく、これまでのｆθレンズ系のように走査幅と略同等の大きさは必要ない。また副走査方向に関しては、これまで同様入射ビーム径の幅があればよく、従来どおりに構成できる。更に副走査断面内においてはレンズが副走査方向に姿勢が傾いていたとしても走査光学系５６の主点が回転軸近傍に位置しているため、回転時には光束がほぼそのままの入射角で通過し、照射位置の変化はごく微量に留まる。
【００４３】
また光偏向手段４は回転台９上に第１、第２のレンズ５，６を位置決めする突起（不図示）が設けられており、該第１、第２のレンズ５，６はそれをガイドにして接着固定されている。尚、この固定の方法については、この例に限らず、例えば止め金具による固定や嵌合などによる固定方法など、その方法は適宜採用すればよく、それに沿った台座の形状、レンズ成形の形状などを工夫すればよい。本実施形態においては前述の如く第１、第２のレンズ５，６が、この回転台９上に固定されており、回転機構としてのモータ（不図示）によって副走査方向に沿った方向の回転軸Ｃを中心に一体となって回転している。
【００４４】
また光偏向手段４は、これまでの金属製のポリゴンミラーとモータとを用いた光偏向器と比較しても重量的に同等であり、モータに余計な負担をかけないため大電流を必要とするモータを用いることなく構成することができる。
【００４５】
このように構成された光偏向手段４はモータにより回転して主走査方向に光走査（偏向走査）を行う。光走査はモータの回転と共に回転台９が反時計回りに回転するように設定されており、入射光学系１０で整形された光束が光偏向手段４の入射面から入射すると該光偏向手段４内で偏向され、時計回りの方向に射出されていく。
【００４６】
このように本実施形態では上記の如く光偏向手段４を等速回転する回転台９と、該回転台９に固定配置された走査光学系５４とより構成し、該走査光学系５４を前記（１）式なる光学特性を有するように構成することにより、光偏向器としての機能を持ちながらｆθレンズの光学性能をも兼ね備えることができ、これにより装置全体の大幅な簡略化が可能となり、かつ小型化が可能となる。
【００４７】
［実施形態２］
図３は本発明の実施形態２の光偏向手段の光学系の要部断面図（副走査断面図）である。同図において図２に示した要素と同一要素には同符番を付している。
【００４８】
本実施形態において前述の実施形態１と異なる点は走査光学系７６を構成する前群を１枚のレンズ７１、後群を２枚のレンズ７２，７３より構成したことである。その他の構成および光学的作用は実施形態１と略同様であり、これにより同様な効果を得ている。
【００４９】
即ち、本実施形態においては正の屈折力の前群を光入射側に凸面を向けたメニスカス形状の正レンズ７１、負の屈折力の後群を光出射側に凸面を向けたメニスカス形状の負レンズ７２と光出射側に凸面を向けたメニスカス形状の正レンズ７３より構成している。
【００５０】
本実施形態においては前記の実施形態１と比較し、レンズ構成枚数が１枚増加することによって、各レンズが受け持つパワーが分散され、各レンズ面の曲率に余裕ができて緩くなる方向になり、加工する上でも有利な形状となる。またパワーを有効に利用して更なる広角化を可能としているので、広角化が進めば光偏向手段から被走査面までの間隔を更に狭めることが可能になるため、よりコンパクトな光走査装置を達成することができる。
【００５１】
尚、走査光学系を構成する前群及び後群のレンズ枚数は上記の各実施形態に示した枚数に限定されることはない。
【００５２】
［画像形成装置］
図４は、本発明の画像形成装置の実施形態を示す副走査方向の要部断面図である。図４において、符号１０４は画像形成装置を示す。この画像形成装置１０４には、パーソナルコンピュータ等の外部機器１１７からコードデータＤｃが入力する。このコードデータＤｃは、装置内のプリンタコントローラ１１１によって、画像データ（ドットデータ）Ｄｉに変換される。この画像データＤｉは、実施形態１、２に示した構成を有する光走査ユニット１００に入力される。そして、この光走査ユニット１００からは、画像データＤｉに応じて変調された光ビーム１０３が出射され、この光ビーム１０３によって感光ドラム１０１の感光面が主走査方向に走査される。
【００５３】
静電潜像担持体（感光体）たる感光ドラム１０１は、モータ１１５によって時計廻りに回転させられる。そして、この回転に伴って、感光ドラム１０１の感光面が光ビーム１０３に対して、主走査方向と直交する副走査方向に移動する。感光ドラム１０１の上方には、感光ドラム１０１の表面を一様に帯電せしめる帯電ローラ１０２が表面に当接するように設けられている。そして、帯電ローラ１０２によって帯電された感光ドラム１０１の表面に、前記光走査ユニット１００によって走査される光ビーム１０３が照射されるようになっている。
【００５４】
先に説明したように、光ビーム１０３は、画像データＤｉに基づいて変調されており、この光ビーム１０３を照射することによって感光ドラム１０１の表面に静電潜像を形成せしめる。この静電潜像は、上記光ビーム１０３の照射位置よりもさらに感光ドラム１０１の回転方向の下流側で感光ドラム１０１に当接するように配設された現像器１０７によってトナー像として現像される。
【００５５】
現像器１０７によって現像されたトナー像は、感光ドラム１０１の下方で、感光ドラム１０１に対向するように配設された転写ローラ１０８によって被転写材たる用紙１１２上に転写される。用紙１１２は感光ドラム１０１の前方（図４において右側）の用紙カセット１０９内に収納されているが、手差しでも給紙が可能である。用紙カセット１０９端部には、給紙ローラ１１０が配設されており、用紙カセット１０９内の用紙１１２を搬送路へ送り込む。
【００５６】
以上のようにして、未定着トナー像を転写された用紙１１２はさらに感光ドラム１０１後方（図４において左側）の定着器へと搬送される。定着器は内部に定着ヒータ（図示せず）を有する定着ローラ１１３とこの定着ローラ１１３に圧接するように配設された加圧ローラ１１４とで構成されており、転写部から搬送されてきた用紙１１２を定着ローラ１１３と加圧ローラ１１４の圧接部にて加圧しながら加熱することにより用紙１１２上の未定着トナー像を定着せしめる。更に定着ローラ１１３の後方には排紙ローラ１１６が配設されており、定着された用紙１１２を画像形成装置の外に排出せしめる。
【００５７】
図４においては図示していないが、プリントコントローラ１１１は、先に説明したデータの変換だけでなく、モータ１１５を始め画像形成装置内の各部や、後述する光走査ユニット内のポリゴンモータなどの制御を行う。
【００５８】
［カラー画像形成装置］
図５は本発明の実施態様のカラー画像形成装置の要部概略図である。本実施形態は、光走査装置を４個並べ各々並行して像担持体である感光ドラム面上に画像情報を記録するタンデムタイプのカラー画像形成装置である。図５において、６０はカラー画像形成装置、１１，１２，１３，１４は各々実施形態１、２に示したいずれかの構成を有する光走査装置、２１，２２，２３，２４は各々像担持体としての感光ドラム、３１，３２，３３，３４は各々現像器、５１は搬送ベルトである。
【００５９】
図５において、カラー画像形成装置６０には、パーソナルコンピュータ等の外部機器５２からＲ（レッド）、Ｇ（グリーン）、Ｂ（ブルー）の各色信号が入力する。これらの色信号は、装置内のプリンタコントローラ５３によって、Ｃ（シアン），Ｍ（マゼンタ），Ｙ（イエロー）、Ｂ（ブラック）の各画像データ（ドットデータ）に変換される。これらの画像データは、それぞれ光走査装置１１，１２，１３，１４に入力される。そして、これらの光走査装置からは、各画像データに応じて変調された光ビーム４１，４２，４３，４４が出射され、これらの光ビームによって感光ドラム２１，２２，２３，２４の感光面が主走査方向に走査される。
【００６０】
本実施態様におけるカラー画像形成装置は光走査装置（１１，１２，１３，１４）を４個並べ、各々がＣ（シアン），Ｍ（マゼンタ），Ｙ（イエロー）、Ｂ（ブラック）の各色に対応し、各々平行して感光ドラム２１，２２，２３，２４面上に画像信号（画像情報）を記録し、カラー画像を高速に印字するものである。
【００６１】
本実施態様におけるカラー画像形成装置は上述の如く４つの光走査装置１１，１２，１３，１４により各々の画像データに基づいた光ビームを用いて各色の潜像を各々対応する感光ドラム２１，２２，２３，２４面上に形成している。その後、記録材に多重転写して１枚のフルカラー画像を形成している。
【００６２】
前記外部機器５２としては、例えばＣＣＤセンサを備えたカラー画像読取装置が用いられても良い。この場合には、このカラー画像読取装置と、カラー画像形成装置６０とで、カラーデジタル複写機が構成される。
【００６３】
【発明の効果】
本発明によれば前述の如く光偏向手段を等速回転する回転台と、該回転台に固定配置された反射面を含まない光学系から構成された走査光学系とより構成し、該走査光学系を前記（１）式なる光学特性を有するように構成することにより、光偏向器としての機能を持ちながらｆθレンズとしての性能を持ち合わせることができ、また入射光学系と光偏向手段とで装置を構成することができ、また高精細な画像を形成する性能を維持しながらも大幅な構成の簡略化、装置の小型化を推進することができ、更には部品点数の削減から簡易な構成の光走査装置及びそれを用いた画像形成装置を達成することができる。
【図面の簡単な説明】
【図１】本発明の実施形態１の要部断面図
【図２】図１に示した光偏向手段の光学系の要部断面図
【図３】本発明の実施形態２の光偏向手段の光学系の要部断面図
【図４】本発明の画像形成装置の実施形態を示す副走査断面図
【図５】本発明の実施態様のカラー画像形成装置の要部概略図
【図６】従来の光走査装置の要部概略図
【符号の説明】
１  光源手段（半導体レーザ）
２  コリメータ光学系（コリメーターレンズ）
３  絞り
４  光偏向手段
５、７１  第１のレンズ
６、７２  第２のレンズ
７３  第３のレンズ
７  被走査面
８  同期検出器
９  回転台
５６、７６  光学系
ＳＰ  補助絞り
１１、１２、１３、１４  光走査装置
２１、２２、２３、２４  像担持体（感光ドラム）
３１、３２、３３、３４  現像器
４１  搬送ベルト
５１  レーザ光束
５２  外部機器
５３  プリンタコントローラ
６０  カラー画像形成装置
１００  光走査装置
１０１  感光ドラム
１０２  帯電ローラ
１０３  光ビーム
１０４  画像形成装置
１０７  現像装置
１０８  転写ローラ
１０９  用紙カセット
１１０  給紙ローラ
１１１  プリンタコントローラ
１１２  転写材（用紙）
１１３  定着ローラ
１１４  加圧ローラ
１１５  モータ
１１６  排紙ローラ
１１７  外部機器
【図１】
2005031194.tif 000003
【図２】
2005031194.tif 000004
【図３】
2005031194.tif 000005
【図４】
2005031194.tif 000006
【図５】
2005031194.tif 000007
【図６】
2005031194.tif 000008